(57)【特許請求の範囲】
【請求項１】
無線通信システムにおける中継局(ＲＮ；ｒｅｌａｙ ｎｏｄｅ)によるダウンリンク制御チャネル復調方法において、
基地局(ＢＳ；ｂａｓｅ ｓｔａｔｉｏｎ)から少なくとも一つのセル特定参照信号(ｃｅｌｌ-ｓｐｅｃｉｆｉｃ ｒｅｆｅｒｅｎｃｅ ｓｉｇｎａｌ)及び少なくとも一つの端末特定参照信号(ｕｓｅｒｅｑｕｉｐｍｅｎｔ-ｓｐｅｃｉｆｉｃ ｒｅｆｅｒｅｎｃｅ ｓｉｇｎａｌ)を受信し、
前記基地局から上位階層(ｈｉｇｈｅｒ ｌａｙｅｒｓ)を介して参照信号インジケータ(ｒｅｆｅｒｅｎｃｅ ｓｉｇｎａｌ ｉｎｄｉｃａｔｏｒ)を受信し、
前記少なくとも一つのセル特定参照信号または前記少なくとも一つの端末特定参照信号のうちいずれか一つに基づいてＲ-ＰＤＣＣＨ(ｒｅｌａｙ ｐｈｙｓｉｃａｌ ｄｏｗｎｌｉｎｋ ｃｏｎｔｒｏｌ ｃｈａｎｎｅｌ)を復調することを含み、
前記参照信号インジケータは、前記Ｒ-ＰＤＣＣＨの復調にいずれの参照信号が使われるかを指示することを特徴とするダウンリンク制御チャネル復調方法。
【請求項２】
前記少なくとも一つのセル特定参照信号は、少なくとも一つのアンテナポート上に受信され、前記少なくとも一つのアンテナポートの個数は、１、２または４うちいずれか一つであることを特徴とする請求項１に記載のダウンリンク制御チャネル復調方法。
【請求項３】
前記少なくとも一つの端末特定参照信号は、一つのアンテナポート上に受信されることを特徴とする請求項１に記載のダウンリンク制御チャネル復調方法。
【請求項４】
前記Ｒ-ＰＤＣＣＨは、少なくとも一つの物理リソースブロック(ＰＲＢ；ｐｈｙｓｉｃａｌ ｒｅｓｏｕｒｃｅ ｂｌｏｃｋ)内のリソース要素(ＲＥ；ｒｅｓｏｕｒｃｅｅｌｅｍｅｎｔ)にマッピングされることを特徴とする請求項１に記載のダウンリンク制御チャネル復調方法。
【請求項５】
前記Ｒ-ＰＤＣＣＨは、前記中継局と前記基地局の通信のために使われる中継領域(ｒｅｌａｙ ｚｏｎｅ)内に含まれることを特徴とする請求項１に記載のダウンリンク制御チャネル復調方法。
【請求項６】
前記中継領域は、サブフレームの１番目のスロット(ｓｌｏｔ)内のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルのサブセット(ｓｕｂｓｅｔ)及び前記サブフレームの２番目のスロット内のＯＦＤＭシンボルのサブセットを含むことを特徴とする請求項５に記載のダウンリンク制御チャネル復調方法。
【請求項７】
前記１番目のスロット内のＯＦＤＭシンボルのサブセットは、前記１番目のスロットの２番目のＯＦＤＭシンボル、３番目のＯＦＤＭシンボルまたは４番目のＯＦＤＭシンボルのうちいずれか一つから始め、前記１番目のスロット内のＯＦＤＭシンボルのサブセットは、前記１番目のスロットの７番目のＯＦＤＭシンボルで終わることを特徴とする請求項６に記載のダウンリンク制御チャネル復調方法。
【請求項８】
前記２番目のスロット内のＯＦＤＭシンボルのサブセットは。前記２番目のスロットの１番目のＯＦＤＭシンボルから始め、前記２番目のスロット内のＯＦＤＭシンボルのサブセットは、前記２番目のスロットの６番目のＯＦＤＭシンボルまたは７番目のＯＦＤＭシンボルで終わることを特徴とする請求項６に記載のダウンリンク制御チャネル復調方法。
【請求項９】
無線通信システムにおける参照信号送信方法において、
中継局(ＲＮ；ｒｅｌａｙ ｎｏｄｅ)に少なくとも一つのセル特定参照信号(ｃｅｌｌ-ｓｐｅｃｉｆｉｃ ｒｅｆｅｒｅｎｃｅ ｓｉｇｎａｌ)及び少なくとも一つの端末特定参照信号(ｕｓｅｒｅｑｕｉｐｍｅｎｔ-ｓｐｅｃｉｆｉｃ ｒｅｆｅｒｅｎｃｅ ｓｉｇｎａｌ)を送信し、
前記中継局に上位階層(ｈｉｇｈｅｒ ｌａｙｅｒｓ)を介して参照信号インジケータ(ｒｅｆｅｒｅｎｃｅ ｓｉｇｎａｌ ｉｎｄｉｃａｔｏｒ)を送信することを含み、
前記参照信号インジケータは、中継局によるＲ-ＰＤＣＣＨ(ｒｅｌａｙ ｐｈｙｓｉｃａｌ ｄｏｗｎｌｉｎｋ ｃｏｎｔｒｏｌ ｃｈａｎｎｅｌ)の復調にいずれの参照信号が使われるかを指示することを特徴とする参照信号送信方法。
【請求項１０】
無線通信システムにおいて、
無線信号を送信または受信するＲＦ(ｒａｄｉｏ ｆｒｅｑｕｅｎｃｙ)部；及び、
前記ＲＦ部と連結されるプロセッサ；を含み、
前記プロセッサは、
基地局(ＢＳ；ｂａｓｅ ｓｔａｔｉｏｎ)から少なくとも一つのセル特定参照信号(ｃｅｌｌ-ｓｐｅｃｉｆｉｃ ｒｅｆｅｒｅｎｃｅ ｓｉｇｎａｌ)及び少なくとも一つの端末特定参照信号(ｕｓｅｒｅｑｕｉｐｍｅｎｔ-ｓｐｅｃｉｆｉｃ ｒｅｆｅｒｅｎｃｅ ｓｉｇｎａｌ)を受信し、
前記基地局から上位階層(ｈｉｇｈｅｒ ｌａｙｅｒｓ)を介して参照信号インジケータ(ｒｅｆｅｒｅｎｃｅ ｓｉｇｎａｌ ｉｎｄｉｃａｔｏｒ)を受信し、
前記少なくとも一つのセル特定参照信号または前記少なくとも一つの端末特定参照信号のうちいずれか一つに基づいてＲ-ＰＤＣＣＨ(ｒｅｌａｙ ｐｈｙｓｉｃａｌ ｄｏｗｎｌｉｎｋ ｃｏｎｔｒｏｌ ｃｈａｎｎｅｌ)を復調するように構成され、
前記参照信号インジケータは、前記Ｒ-ＰＤＣＣＨの復調にいずれの参照信号が使われるかを指示することを特徴とする中継局(ＲＮ；ｒｅｌａｙ ｎｏｄｅ)。
【請求項１１】
前記少なくとも一つのセル特定参照信号は、少なくとも一つのアンテナポート上に受信され、前記少なくとも一つのアンテナポートの個数は、１、２または４うちいずれか一つであることを特徴とする請求項1０に記載の中継局。
【請求項１２】
前記少なくとも一つの端末特定参照信号は、一つのアンテナポート上に受信されることを特徴とする請求項１０に記載の中継局。
【請求項１３】
前記Ｒ-ＰＤＣＣＨは、少なくとも一つの物理リソースブロック(ＰＲＢ；ｐｈｙｓｉｃａｌ ｒｅｓｏｕｒｃｅ ｂｌｏｃｋ)内のリソース要素(ＲＥ；ｒｅｓｏｕｒｃｅｅｌｅｍｅｎｔ)にマッピングされることを特徴とする請求項１０に記載の中継局。
【請求項１４】
前記Ｒ-ＰＤＣＣＨは、前記中継局と前記基地局の通信のために使われる中継領域(ｒｅｌａｙ ｚｏｎｅ)内に含まれることを特徴とする請求項１０に記載の中継局。
【請求項１５】
前記中継領域は、サブフレームの１番目のスロット(ｓｌｏｔ)内のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルのサブセット(ｓｕｂｓｅｔ)及び前記サブフレームの２番目のスロット内のＯＦＤＭシンボルのサブセットを含むことを特徴とする請求項１４に記載の中継局。
【発明の詳細な説明】
【技術分野】
【０００１】
本発明は、無線通信に関し、より詳しくは、中継局を含む無線通信システムにおける参照信号送信方法及び装置に関する。
【背景技術】
【０００２】
広域無線通信システムの場合、限定された無線資源の効率性を極大化するために効果的な送受信技法及び活用方案が提案されてきた。次世代無線通信システムで考慮されているシステムのうち一つが低い複雑度でシンボル間干渉(ＩＳＩ；Ｉｎｔｅｒ−Ｓｙｍｂｏｌ Ｉｎｔｅｒｆｅｒｅｎｃｅ)効果を減殺させることができる直交周波数分割多重(ＯＦＤＭ；Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)システムである。ＯＦＤＭは、直列に入力されるデータシンボルをＮ個の並列データシンボルに変換して各々分離されたＮ個の副搬送波(ｓｕｂｃａｒｒｉｅｒ)に載せて送信する。副搬送波は周波数次元で直交性を維持するようにする。各々の直交チャネルは、相互独立的な周波数選択的フェーディング(ｆｒｅｑｕｅｎｃｙ ｓｅｌｅｃｔｉｖｅ ｆａｄｉｎｇ)を経験するようになり、これによって受信端での複雑度が減少し、送信されるシンボルの間隔が長くなってシンボル間干渉が最小化されることができる。
【０００３】
直交周波数分割多重接続(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ；以下、ＯＦＤＭＡという)は、ＯＦＤＭを変調方式に使用するシステムにおいて利用可能な副搬送波の一部を各ユーザに独立的に提供して多重接続を実現する多重接続方法を意味する。ＯＦＤＭＡは、副搬送波という周波数リソースを各ユーザに提供し、各々の周波数リソースは、多数のユーザに独立的に提供されて互いに重ならないことが一般的である。結局、周波数リソースは、ユーザ毎に相互排他的に割り当てられる。ＯＦＤＭＡシステムで周波数選択的スケジューリング(ｆｒｅｑｕｅｎｃｙ ｓｅｌｅｃｔｉｖｅ ｓｃｈｅｄｕｌｉｎｇ)を介してマルチユーザに対する周波数ダイバーシティ(ｆｒｅｑｕｅｎｃｙ ｄｉｖｅｒｓｉｔｙ)を得ることができ、副搬送波に対する順列(ｐｅｒｍｕｔａｔｉｏｎ)方式によって副搬送波を多様な形態に割り当てることができる。また、多重アンテナ(ｍｕｌｔｉｐｌｅ ａｎｔｅｎｎａ)を用いた空間多重化技法に空間領域の効率性を高めることができる。
【０００４】
ＭＩＭＯ(Ｍｕｌｔｉｐｌｅ−ＩｎｐｕｔＭｕｌｔｉｐｌｅ−Ｏｕｔｐｕｔ)技術は、多重送信アンテナと多重受信アンテナを使用してデータの送受信効率を向上させる。ＭＩＭＯシステムにおけるダイバーシティを具現するための技法には、ＳＦＢＣ(Ｓｐａｃｅ Ｆｒｅｑｕｅｎｃｙ Ｂｌｏｃｋ Ｃｏｄｅ)、ＳＴＢＣ(Ｓｐａｃｅ ＴｉｍｅＢｌｏｃｋ Ｃｏｄｅ)、ＣＤＤ(Ｃｙｃｌｉｃ Ｄｅｌａｙ Ｄｉｖｅｒｓｉｔｙ)、ＦＳＴＤ(ｆｒｅｑｕｅｎｃｙ ｓｗｉｔｃｈｅｄ ｔｒａｎｓｍｉｔ ｄｉｖｅｒｓｉｔｙ)、ＴＳＴＤ(ｔｉｍｅｓｗｉｔｃｈｅｄ ｔｒａｎｓｍｉｔ ｄｉｖｅｒｓｉｔｙ)、ＰＶＳ(Ｐｒｅｃｏｄｉｎｇ Ｖｅｃｔｏｒ Ｓｗｉｔｃｈｉｎｇ)、空間多重化(ＳＭ；Ｓｐａｔｉａｌ Ｍｕｌｔｉｐｌｅｘｉｎｇ)などがある。受信アンテナ数と送信アンテナ数によるＭＩＭＯチャネル行列は複数の独立チャネルに分解されることができる。各々の独立チャネルはレイヤ(ｌａｙｅｒ)またはストリーム(ｓｔｒｅａｍ)と呼ばれる。レイヤの個数はランク(ｒａｎｋ)と呼ばれる。
【０００５】
無線通信システムでは、データの送/受信、システム同期獲得、チャネル情報フィードバックなどのためにアップリンクチャネルまたはダウンリンクチャネルを推定する必要がある。無線通信システム環境では多重経路時間遅延によってフェーディングが発生するようになる。フェーディングによる急激な環境変化により発生する信号の歪曲を補償して送信信号を復元する過程をチャネル推定と呼ぶ。また、端末の属するセル或いは他のセルに対するチャネル状態(ｃｈａｎｎｅｌ ｓｔａｔｅ)を測定する必要がある。チャネル推定またはチャネル状態測定のために、一般的に送受信機が相互間に知っている参照信号(ＲＳ；Ｒｅｆｅｒｅｎｃｅ Ｓｉｇｎａｌ)を用いてチャネル推定を実行するようになる。
【０００６】
参照信号送信に使われる副搬送波を参照信号副搬送波と呼び、データ送信に使われるリソース要素をデータ副搬送波と呼ぶ。ＯＦＤＭシステムで、参照信号を全ての副搬送波に割り当てる方式とデータ副搬送波との間に割り当てる方式がある。参照信号を全ての副搬送波に割り当てる方式は、チャネル推定性能の利得を得るためにプリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためにはデータ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００７】
受信機は、参照信号の情報を知っているため、受信された信号からこれを分けてチャネルを推定することができ、推定されたチャネル値を補償して送信端で送ったデータを正確に推定することができる。送信機で送る参照信号をｐ、参照信号が送信中に通るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ(Ｌｅａｓｔ Ｓｑｕａｒｅ)方式を用いる場合、数式１のようにチャネル情報
【０００８】
【化１】
0005237503.tif 000002
を推定することができる。
【０００９】
【化２】
0005237503.tif 000003
この時、参照信号ｐを用いて推定したチャネル推定値
【００１０】
【化３】
0005237503.tif 000004
は、
【００１１】
【化４】
0005237503.tif 000005
値に応じてその正確度が決定されるようになる。従って、正確なｈ値の推定のためには
【００１２】
【化５】
0005237503.tif 000006
が０に収束しなければならず、このためには多くの個数の参照信号を用いてチャネルを推定し、
【００１３】
【化６】
0005237503.tif 000007
の影響を最小化しなければならない。優れたチャネル推定性能のための多様なアルゴリズムが存在することができる。
【００１４】
一方、最近に中継局(ＲＳ；Ｒｅｌａｙ Ｓｔａｔｉｏｎ)を含む無線通信システムが開発されている。中継局は、セルカバレッジを拡張させ、送信性能を向上させる役割をする。基地局は、基地局のカバレッジ境界に位置した端末を中継局を介してサービスすることによってセルカバレッジを拡張させる効果を得ることができる。また、中継局が基地局と端末との間で信号の送信信頼性を向上させることによって送信容量を増加させることができる。端末が基地局のカバレッジ内にあるとしても陰影地域に位置した場合に中継局を用いることもできる。基地局と中継局との間のアップリンク及びダウンリンクはバックホールリンク(ｂａｃｋｈａｕｌ ｌｉｎｋ)であり、基地局と端末との間または中継局と端末との間のアップリンク及びダウンリンクはアクセスリンク(ａｃｃｅｓｓ ｌｉｎｋ)である。以下、バックホールリンクを介して送信される信号をバックホール信号と呼び、アクセスリンクを介して送信される信号をアクセス信号と呼ぶ。
【００１５】
中継局のための参照信号を効率的に送信するための方法が必要である。
【発明の概要】
【発明が解決しようとする課題】
【００１６】
本発明の技術的課題は、中継局を含む無線通信システムにおける参照信号送信方法及び装置を提供することである。
【課題を解決するための手段】
【００１７】
一態様において、中継局を含む無線通信システムにおける参照信号送信方法が提供される。前記参照信号送信方法は、複数のアンテナポートに対する複数の参照信号を各々生成し、前記複数の参照信号を予め指定された参照信号パターンによって少なくとも一つのリソースブロック内の中継領域(ｒｅｌａｙｚｏｎｅ)にマッピングし、前記少なくとも一つのリソースブロックを前記複数のアンテナポートを介して送信することを含み、前記複数の参照信号は、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ−ＴｅｒｍＥｖｏｌｕｔｉｏｎ)Ｒｅｌ−８システムの少なくとも一つのＣＲＳ(Ｃｅｌｌ−ｓｐｅｃｉｆｉｃ Ｒｅｆｅｒｅｎｃｅ Ｓｉｇｎａｌ)を含むことを特徴とする。前記中継領域は、一つのサブフレームの４番目のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボル乃至１３番目のＯＦＤＭシンボルまたは５番目のＯＦＤＭシンボル乃至１３番目のＯＦＤＭシンボルを占める。前記複数の参照信号は、前記中継領域のうち中継局のための制御信号が送信されるＲ−ＰＤＣＣＨ(Ｒｅｌａｙ Ｐｈｙｓｉｃａｌ Ｄｏｗｎｌｉｎｋ Ｃｏｎｔｒｏｌ Ｃｈａｎｎｅｌ)領域にマッピングされる。前記Ｒ−ＰＤＣＣＨは、前記中継領域の前方部の３個のＯＦＤＭシンボルを占めたり、２番目のスロットの前方部の３個のＯＦＤＭシンボルを占める。前記少なくとも一つのＣＲＳが送信されるアンテナポートの個数は、１個、２個及び４個のうちいずれか一つである。前記複数の参照信号は、追加アンテナポートに対する複数の中継参照信号またはＬＴＥ−Ａ(ＬＴＥ−Ａｄｖａｎｃｅｄ)システムのＤＭＲＳ(Ｄｅｍｏｄｕｌａｔｉｏｎ ＲｅｆｅｒｅｎｃｅＳｉｇｎａｌ)をさらに含む。前記少なくとも一つのＣＲＳと前記複数の中継参照信号のうち一部が直交コード(ｏｒｔｈｏｇｏｎａｌｃｏｄｅ)を用いてＣＤＭ(Ｃｏｄｅ Ｄｉｖｉｓｉｏｎ Ｍｕｌｔｉｐｌｅｘｉｎｇ)方式に多重化されてマッピングされる。前記方法は、前記少なくとも一つのＣＲＳを用いてＲ−ＰＤＣＣＨを復調するか、或いは前記複数の中継参照信号またはＤＭＲＳを使用してＲ−ＰＤＣＣＨを復調するかを指示する参照信号インジケータを送信することをさらに含む。前記参照信号インジケータは、上位階層(ｈｉｇｈｅｒ ｌａｙｅｒ)を介して送信されたり、或いはＰＤＣＣＨまたはブロードキャスティングなどを用いてＬ１/Ｌ２シグナリングされる。
【００１８】
他の態様において、中継局を含む無線通信システムにおけるチャネル推定方法が提供される。前記チャネル推定方法は、ダウンリンクサブフレーム内の中継領域を介して複数の参照信号を受信し、前記複数の参照信号を処理してチャネル推定またはデータ復調を実行することを含み、前記複数の参照信号は、３ＧＰＰ ＬＴＥ Ｒｅｌ−８システムの少なくとも一つのＣＲＳを含み、追加アンテナポートに対する複数の中継参照信号またはＬＴＥ−ＡシステムのＤＭＲＳのうちいずれか一つを含む。前記複数の参照信号は、前記中継領域のうち中継局のための制御信号が送信されるＲ−ＰＤＣＣＨ領域にマッピングされる。前記少なくとも一つのＣＲＳが送信されるアンテナポートの個数は、１個、２個及び４個のうちいずれか一つである。前記チャネル推定またはデータ復調の実行は、前記少なくとも一つのＣＲＳを用いてＲ−ＰＤＣＣＨを復調するか、或いは前記複数の中継参照信号またはＤＭＲＳを使用してＲ−ＰＤＣＣＨを復調するかを指示する参照信号インジケータに基づいて行われる。前記参照信号インジケータは、上位階層を介して送信されたり、或いはＰＤＣＣＨまたはブロードキャスティングなどを用いてＬ１/Ｌ２シグナリングされる。
【００１９】
他の態様において、中継局を含む無線通信システムにおけるチャネル推定装置が提供される。前記チャネル推定装置は、ダウンリンクサブフレーム内の中継領域を介して複数の参照信号を受信するＲＦ部、及び前記ＲＦ部と連結され、前記複数の参照信号を処理してチャネル推定またはデータ復調を実行するプロセッサを含み、前記複数の参照信号は、３ＧＰＰＬＴＥ Ｒｅｌ−８システムの少なくとも一つのＣＲＳを含み、追加アンテナポートに対する複数の中継参照信号またはＬＴＥ−ＡシステムのＤＭＲＳのうちいずれか一つを含む。
（項目１）
中継局を含む無線通信システムにおける参照信号送信方法において、
複数のアンテナポートに対する複数の参照信号を各々生成し、
前記複数の参照信号を予め指定された参照信号パターンによって少なくとも一つのリソースブロック内の中継領域(ｒｅｌａｙ ｚｏｎｅ)にマッピングし、
前記少なくとも一つのリソースブロックを前記複数のアンテナポートを介して送信することを含み、
前記複数の参照信号は、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ−Ｔｅｒｍ Ｅｖｏｌｕｔｉｏｎ)Ｒｅｌ−８システムの少なくとも一つのＣＲＳ(Ｃｅｌｌ−ｓｐｅｃｉｆｉｃＲｅｆｅｒｅｎｃｅ Ｓｉｇｎａｌ)を含むことを特徴とする参照信号送信方法。
（項目２）
前記中継領域は、一つのサブフレームの４番目のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボル乃至１３番目のＯＦＤＭシンボルまたは５番目のＯＦＤＭシンボル乃至１３番目のＯＦＤＭシンボルを占めることを特徴とする項目１に記載の参照信号送信方法。
（項目３）
前記複数の参照信号は、前記中継領域のうち中継局のための制御信号が送信されるＲ−ＰＤＣＣＨ(Ｒｅｌａｙ Ｐｈｙｓｉｃａｌ Ｄｏｗｎｌｉｎｋ Ｃｏｎｔｒｏｌ Ｃｈａｎｎｅｌ)領域にマッピングされることを特徴とする項目１に記載の参照信号送信方法。
（項目４）
前記Ｒ−ＰＤＣＣＨは、前記中継領域の前方部の３個のＯＦＤＭシンボルを占めたり、２番目のスロットの前方部の３個のＯＦＤＭシンボルを占めることを特徴とする項目３に記載の参照信号送信方法。
（項目５）
前記少なくとも一つのＣＲＳが送信されるアンテナポートの個数は、１個、２個及び４個のうちいずれか一つであることを特徴とする項目１に記載の参照信号送信方法。
（項目６）
前記複数の参照信号は、追加アンテナポートに対する複数の中継参照信号またはＬＴＥ−Ａ(ＬＴＥ−Ａｄｖａｎｃｅｄ)システムのＤＭＲＳ(Ｄｅｍｏｄｕｌａｔｉｏｎ Ｒｅｆｅｒｅｎｃｅ Ｓｉｇｎａｌ)をさらに含むことを特徴とする項目１に記載の参照信号送信方法。
（項目７）
前記少なくとも一つのＣＲＳと前記複数の中継参照信号のうち一部が直交コード(ｏｒｔｈｏｇｏｎａｌ ｃｏｄｅ)を用いてＣＤＭ(Ｃｏｄｅ Ｄｉｖｉｓｉｏｎ Ｍｕｌｔｉｐｌｅｘｉｎｇ)方式に多重化されてマッピングされることを特徴とする項目６に記載の参照信号送信方法。
（項目８）
前記少なくとも一つのＣＲＳを用いてＲ−ＰＤＣＣＨを復調するか、或いは前記複数の中継参照信号またはＤＭＲＳを使用してＲ−ＰＤＣＣＨを復調するかを指示する参照信号インジケータを送信することをさらに含むことを特徴とする項目６に記載の参照信号送信方法。
（項目９）
前記参照信号インジケータは、上位階層(ｈｉｇｈｅｒ ｌａｙｅｒ)を介して送信されたり、或いはＰＤＣＣＨまたはブロードキャスティングなどを用いてＬ１/Ｌ２シグナリングされることを特徴とする項目８に記載の参照信号送信方法。
（項目１０）
中継局を含む無線通信システムにおけるチャネル推定方法において、
ダウンリンクサブフレーム内の中継領域を介して複数の参照信号を受信し、
前記複数の参照信号を処理してチャネル推定またはデータ復調を実行することを含み、
前記複数の参照信号は、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ−Ｔｅｒｍ Ｅｖｏｌｕｔｉｏｎ)Ｒｅｌ−８システムの少なくとも一つのＣＲＳ(Ｃｅｌｌ−ｓｐｅｃｉｆｉｃＲｅｆｅｒｅｎｃｅ Ｓｉｇｎａｌ)を含み、追加アンテナポートに対する複数の中継参照信号またはＬＴＥ−Ａ(ＬＴＥ−Ａｄｖａｎｃｅｄ)システムのＤＭＲＳ(ＤｅｍｏｄｕｌａｔｉｏｎＲｅｆｅｒｅｎｃｅ Ｓｉｇｎａｌ)のうちいずれか一つを含むことを特徴とするチャネル推定方法。
（項目１１）
前記複数の参照信号は、前記中継領域のうち中継局のための制御信号が送信されるＲ−ＰＤＣＣＨ(Ｒｅｌａｙ Ｐｈｙｓｉｃａｌ Ｄｏｗｎｌｉｎｋ Ｃｏｎｔｒｏｌ Ｃｈａｎｎｅｌ)領域にマッピングされることを特徴とする項目１０に記載のチャネル推定方法。
（項目１２）
前記少なくとも一つのＣＲＳが送信されるアンテナポートの個数は、１個、２個及び４個のうちいずれか一つであることを特徴とする項目１０に記載のチャネル推定方法。
（項目１３）
前記チャネル推定またはデータ復調の実行は、前記少なくとも一つのＣＲＳを用いてＲ−ＰＤＣＣＨを復調するか、或いは前記複数の中継参照信号またはＤＭＲＳを使用してＲ−ＰＤＣＣＨを復調するかを指示する参照信号インジケータに基づいて行われることを特徴とする項目１０に記載のチャネル推定方法。
（項目１４）
前記参照信号インジケータは、上位階層(ｈｉｇｈｅｒ ｌａｙｅｒ)を介して送信されたり、或いはＰＤＣＣＨまたはブロードキャスティングなどを用いてＬ１/Ｌ２シグナリングされることを特徴とする項目１３に記載のチャネル推定方法。
（項目１５）
中継局を含む無線通信システムにおけるチャネル推定装置において、
ダウンリンクサブフレーム内の中継領域を介して複数の参照信号を受信するＲＦ部；及び、
前記ＲＦ部と連結され、前記複数の参照信号を処理してチャネル推定またはデータ復調を実行するプロセッサ；を含み、
前記複数の参照信号は、３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ−Ｔｅｒｍ Ｅｖｏｌｕｔｉｏｎ)Ｒｅｌ−８システムの少なくとも一つのＣＲＳ(Ｃｅｌｌ−ｓｐｅｃｉｆｉｃＲｅｆｅｒｅｎｃｅ Ｓｉｇｎａｌ)を含み、追加アンテナポートに対する複数の中継参照信号またはＬＴＥ−Ａ(ＬＴＥ−Ａｄｖａｎｃｅｄ)システムのＤＭＲＳ(ＤｅｍｏｄｕｌａｔｉｏｎＲｅｆｅｒｅｎｃｅ Ｓｉｇｎａｌ)のうちいずれか一つを含むことを特徴とするチャネル推定装置。
【発明の効果】
【００２０】
３ＧＰＰ(３ｒｄＧｅｎｅｒａｔｉｏｎ Ｐａｒｔｎｅｒｓｈｉｐ Ｐｒｏｊｅｃｔ)ＬＴＥ(Ｌｏｎｇ−Ｔｅｒｍ Ｅｖｏｌｕｔｉｏｎ)Ｒｅｌ−８システムのＣＲＳ(Ｃｅｌｌ−ｓｐｅｃｉｆｉｃＲｅｆｅｒｅｎｃｅ Ｓｉｇｎａｌ)及びＬＴＥ−Ａ(ＬＴＥ−Ａｄｖａｎｃｅｄ)システムのＤＭＲＳ(Ｄｅｍｏｄｕｌａｔｉｏｎ Ｒｅｆｅｒｅｎｃｅ Ｓｉｇｎａｌ)を用いてＲ−ＰＤＣＣＨ(Ｒｅｌａｙ−ＰｈｙｓｉｃａｌＤｏｗｎｌｉｎｋ Ｃｏｎｔｒｏｌ Ｃｈａｎｎｅｌ)を復調することによってシグナリングオーバーヘッド(ｓｉｇｎａｌｉｎｇ ｏｖｅｒｈｅａｄ)を減らして中継局のための参照信号を定義することができる。
【図面の簡単な説明】
【００２１】
【図１】無線通信システムである。
【図２】中継局を用いた無線通信システムである。
【図３】３ＧＰＰ ＬＴＥにおける無線フレーム(ｒａｄｉｏｆｒａｍｅ)の構造を示す。
【図４】一つのダウンリンクスロットに対するリソースグリッド(ｒｅｓｏｕｒｃｅ ｇｒｉｄ)の一例を示す。
【図５】ダウンリンクサブフレームの構造を示す。
【図６】アップリンクサブフレームの構造を示す。
【図７】ＣＲＳ構造の一例である。
【図８】ＣＲＳ構造の一例である。
【図９】ＣＲＳ構造の一例である。
【図１０】ＤＲＳ構造の一例である。
【図１１】ＤＲＳ構造の一例である。
【図１２】ＬＴＥ−ＡシステムのＤＭＲＳ構造の一例である。
【図１３】中継領域が割り当てられたダウンリンクサブフレームの一例である。
【図１４】中継領域が割り当てられたリソースブロックの一例である。
【図１５】提案された参照信号送信方法の一実施例である。
【図１６】提案された参照信号送信方法による参照信号パターンの一例である。
【図１７】提案された参照信号送信方法による参照信号パターンの一例である。
【図１８】提案された参照信号送信方法による参照信号パターンの一例である。
【図１９】提案された参照信号送信方法による参照信号パターンの一例である。
【図２０】提案された参照信号送信方法による参照信号パターンの一例である。
【図２１】提案された参照信号送信方法による参照信号パターンの一例である。
【図２２】提案された参照信号送信方法による参照信号パターンの一例である。
【図２３】提案された参照信号送信方法による参照信号パターンの一例である。
【図２４】提案された参照信号送信方法による参照信号パターンの一例である。
【図２５】提案された参照信号送信方法による参照信号パターンの一例である。
【図２６】提案された参照信号送信方法による参照信号パターンの一例である。
【図２７】提案された参照信号送信方法による参照信号パターンの一例である。
【図２８】提案された参照信号送信方法による参照信号パターンの一例である。
【図２９】提案された参照信号送信方法による参照信号パターンの一例である。
【図３０】提案された参照信号送信方法による参照信号パターンの一例である。
【図３１】提案された参照信号送信方法による参照信号パターンの一例である。
【図３２】提案された参照信号送信方法による参照信号パターンの一例である。
【図３３】提案された参照信号送信方法による参照信号パターンの一例である。
【図３４】提案された参照信号送信方法による参照信号パターンの一例である。
【図３５】提案された参照信号送信方法による参照信号パターンの一例である。
【図３６】提案された参照信号送信方法による参照信号パターンの一例である。
【図３７】提案された参照信号送信方法による参照信号パターンの一例である。
【図３８】提案されたチャネル推定方法の一実施例である。
【図３９】本発明の実施例が具現される基地局及び中継局を示すブロック図である。
【発明を実施するための形態】
【００２２】
参照信号シーケンスは、ＰＳＫ(Ｐｈａｓｅ Ｓｈｉｆｔ Ｋｅｙｉｎｇ)ベースのコンピュータを介して生成されたシーケンス(ＰＳＫ−ｂａｓｅｄ ｃｏｍｐｕｔｅｒ ｇｅｎｅｒａｔｅｄ ｓｅｑｕｅｎｃｅ)を使用することができる。ＰＳＫの例には、ＢＰＳＫ(ＢｉｎａｒｙＰｈａｓｅ Ｓｈｉｆｔ Ｋｅｙｉｎｇ)、ＱＰＳＫ(Ｑｕａｄｒａｔｕｒｅ Ｐｈａｓｅ Ｓｈｉｆｔ Ｋｅｙｉｎｇ)などがある。または、参照信号シーケンスは、ＣＡＺＡＣ(Ｃｏｎｓｔａｎｔ Ａｍｐｌｉｔｕｄｅ Ｚｅｒｏ Ａｕｔｏ−Ｃｏｒｒｅｌａｔｉｏｎ)シーケンスを使用することができる。ＣＡＺＡＣシーケンスの例には、ＺＣ(Ｚａｄｏｆｆ−Ｃｈｕ)ベースのシーケンス(ＺＣ−ｂａｓｅｄ ｓｅｑｕｅｎｃｅ)、循環拡張(ｃｙｃｌｉｃ ｅｘｔｅｎｓｉｏｎ)されたＺＣシーケンス(ＺＣ ｓｅｑｕｅｎｃｅ ｗｉｔｈ ｃｙｃｌｉｃ ｅｘｔｅｎｓｉｏｎ)、切断(ｔｒｕｎｃａｔｉｏｎ)ＺＣシーケンス(ＺＣ ｓｅｑｕｅｎｃｅ ｗｉｔｈ ｔｒｕｎｃａｔｉｏｎ)などがある。または、参照信号シーケンスは、ＰＮ(ｐｓｅｕｄｏ−ｒａｎｄｏｍ)シーケンスを使用することができる。ＰＮシーケンスの例には、ｍ−シーケンス、コンピュータを介して生成されたシーケンス、ゴールド(Ｇｏｌｄ)シーケンス、カサミ(Ｋａｓａｍｉ)シーケンスなどがある。また、参照信号シーケンスは、循環シフトされたシーケンス(ｃｙｃｌｉｃａｌｌｙ ｓｈｉｆｔｅｄ ｓｅｑｕｅｎｃｅ)を用いることができる。
【００２３】
参照信号は、セル特定参照信号(ＣＲＳ；ｃｅｌｌ−ｓｐｅｃｉｆｉｃ ＲＳ)、ＭＢＳＦＮ参照信号、及び端末特定参照信号(ＵＥ−ｓｐｅｃｉｆｉｃ ＲＳ)に区分されることができる。ＣＲＳは、セル内の全ての端末に送信される参照信号であり、チャネル推定に使われる。ＭＢＳＦＮ参照信号は、ＭＢＳＦＮ送信のために割り当てられたサブフレームで送信されることができる。端末特定参照信号は、セル内の特定端末または特定端末グループが受信する参照信号であり、専用参照信号(ＤＲＳ:Ｄｅｄｉｃａｔｅｄ ＲＳ)と呼ばれることができる。ＤＲＳは、特定端末または特定端末グループがデータ復調に主に使われる。
【００２４】
まず、ＣＲＳに対して説明する。
【００２５】
図７乃至図９は、ＣＲＳ構造の一例である。図７は基地局が一つのアンテナを使用する場合、図８は基地局が２個のアンテナを使用する場合、図９は基地局が４個のアンテナを使用する場合のＣＲＳ構造の一例を示す。これは３ＧＰＰ ＴＳ ３６.２１１ Ｖ８.２.０(２００８−０３)の６.１０.１節を参照することができる。また、前記ＣＲＳ構造は、ＬＴＥ−Ａシステムの特徴をサポートするために使われることもできる。例えば、協力的多重地点(ＣｏＭＰ；Ｃｏｏｒｄｉｎａｔｅｄ Ｍｕｌｔｉ−Ｐｏｉｎｔ)送信受信技法または空間多重化(ｓｐａｔｉａｌｍｕｌｔｉｐｌｅｘｉｎｇ)などの特徴をサポートするために使われることができる。また、ＣＲＳは、チャネル品質測定、ＣＰ検出、及び時間/周波数同期化などの用途として使われることができる。
【００２６】
図７乃至図９を参照すると、基地局が複数のアンテナを使用する多重アンテナ送信の場合、アンテナ毎に一つのリソースグリッドがある。‘Ｒ０’は第１のアンテナに対する参照信号、‘Ｒ１’は第２のアンテナに対する参照信号、‘Ｒ２’は第３のアンテナに対する参照信号、‘Ｒ３’は第４のアンテナに対する参照信号を示す。Ｒ０乃至Ｒ３のサブフレーム内の位置は互いに重複されない。lはスロット内のＯＦＤＭシンボルの位置であり、ノーマルＣＰにおけるlは０〜６の値を有する。一つのＯＦＤＭシンボルで各アンテナに対する参照信号は６副搬送波間隔に位置する。サブフレーム内のＲ０の数とＲ１の数は同じであり、Ｒ２の数とＲ３の数は同じである。サブフレーム内のＲ２及びＲ３の数はＲ０及びＲ１の数より少ない。一アンテナの参照信号に使われたリソース要素は他のアンテナの参照信号に使われない。これはアンテナ間干渉を与えないためである。
【００２７】
ＣＲＳはストリームの個数に関係無しに常にアンテナの個数ほど送信される。ＣＲＳはアンテナ毎に独立的な参照信号を有する。ＣＲＳのサブフレーム内の周波数領域の位置及び時間領域の位置は端末に関係無しに決められる。ＣＲＳに掛け算されるＣＲＳシーケンスも端末に関係無しに生成される。従って、セル内の全ての端末はＣＲＳを受信することができる。ただし、ＣＲＳのサブフレーム内の位置及びＣＲＳシーケンスはセルＩＤによって決められることができる。ＣＲＳのサブフレーム内の時間領域の位置は、アンテナの番号、リソースブロック内のＯＦＤＭシンボルの個数によって決められることができる。ＣＲＳのサブフレーム内の周波数領域の位置は、アンテナの番号、セルＩＤ、ＯＦＤＭシンボルインデックス(l)、無線フレーム内のスロット番号などによって決められることができる。
【００２８】
ＣＲＳシーケンスは、一つのサブフレーム内のＯＦＤＭシンボル単位に適用されることができる。ＣＲＳシーケンスは、セルＩＤ、一つの無線フレーム内のスロット番号、スロット内のＯＦＤＭシンボルインデックス、ＣＰの種類などによって変わることができる。一つのＯＦＤＭシンボル上で各アンテナ別参照信号副搬送波の個数は２個である。サブフレームが周波数領域でＮＲＢ個のリソースブロックを含むとする時、一つのＯＦＤＭシンボル上で各アンテナ別参照信号副搬送波の個数は２×ＮＲＢである。従って、ＣＲＳシーケンスの長さは２×ＮＲＢとなる。
【００２９】
数式２は、ＣＲＳシーケンスｒ(ｍ)の一例を示す。
【００３０】
【化７】
0005237503.tif 000008
ここで、ｍは０,１,...,２ＮＲＢｍａｘ−１である。２ＮＲＢｍａｘは最大帯域幅に該当するリソースブロックの個数である。例えば、３ＧＰＰ ＬＴＥシステムにおける２ＮＲＢｍａｘは１１０である。ｃ(ｉ)は、ＰＮシーケンスであり、疑似ランダムシーケンスであり、長さ−３１のゴールド(Ｇｏｌｄ)シーケンスにより定義されることができる。数式３は、ゴールドシーケンスｃ(ｎ)の一例を示す。
【００３１】
【化８】
0005237503.tif 000009
ここで、Ｎｃ＝１６００であり、ｘ１(ｉ)は第１のｍ−シーケンスであり、ｘ２(ｉ)は第２のｍ−シーケンスである。例えば、第１のｍ−シーケンスまたは第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化(ｉｎｉｔｉａｌｉｚａｔｉｏｎ)されることができる。
【００３２】
２ＮＲＢｍａｘより小さい帯域幅を有するシステムの場合、２×２ＮＲＢｍａｘ長さに生成された参照信号シーケンスから２×ＮＲＢ長さに一定部分のみを選択して使用することができる。
【００３３】
ＣＲＳは、ＬＴＥ−Ａシステムでチャネル状態情報(ＣＳＩ；Ｃｈａｎｎｅｌ Ｓｔａｔｅ Ｉｎｆｏｒｍａｔｉｏｎ)の推定のために使われることができる。ＣＳＩの推定を介して、必要な場合、チャネル品質インジケータ(ＣＱＩ；Ｃｈａｎｎｅｌ Ｑｕａｌｉｔｙ Ｉｎｄｉｃａｔｏｒ)、プリコーディング行列インジケータ(ＰＭＩ；Ｐｒｅｃｏｄｉｎｇ Ｍａｔｒｉｘ Ｉｎｄｉｃａｔｏｒ)及びランクインジケータ(ＲＩ；Ｒａｎｋ Ｉｎｄｉｃａｔｏｒ)などが端末から報告されることができる。
【００３４】
次に、ＤＲＳに対して説明する。
【００３５】
図１０及び図１１は、ＤＲＳ構造の一例である。図１０は、ノーマルＣＰにおけるＤＲＳ構造の一例を示す。ノーマルＣＰにおけるサブフレームは、１４ＯＦＤＭシンボルを含む。‘Ｒ５’はＤＲＳを送信するアンテナの参照信号を示す。参照シンボルを含む一つのＯＦＤＭシンボル上で参照副搬送波は４副搬送波間隔に位置する。図１１は、拡張ＣＰにおけるＤＲＳ構造の一例を示す。拡張ＣＰにおけるサブフレームは、１２ＯＦＤＭシンボルを含む。一つのＯＦＤＭシンボル上で参照信号副搬送波は３副搬送波間隔に位置する。これは３ＧＰＰ ＴＳ ３６.２１１ Ｖ８.２.０(２００８−０３)の６.１０.３節を参照することができる。
【００３６】
ＤＲＳのサブフレーム内の周波数領域の位置及び時間領域の位置は、ＰＤＳＣＨ送信のために割り当てられたリソースブロックによって決められることができる。ＤＲＳシーケンスは端末ＩＤによって決められることができ、前記端末ＩＤに該当する特定端末のみがＤＲＳを受信することができる。
【００３７】
ＤＲＳシーケンスも前記数式２及び３により得られることができる。ただし、数式２のｍはＮＲＢＰＤＳＣＨにより決められる。ＮＲＢＰＤＳＣＨはＰＤＳＣＨ送信に対応する帯域幅に該当するリソースブロックの個数である。ＮＲＢＰＤＳＣＨによってＤＲＳシーケンスの長さが変わることができる。即ち、端末が割当を受けるデータ量に応じてＤＲＳシーケンスの長さが変わることができる。数式２の第１のｍ−シーケンス(ｘ１(ｉ))または第２のｍ−シーケンス(ｘ２(ｉ))は、サブフレーム毎にセルＩＤ、一つの無線フレーム内のサブフレームの位置、端末ＩＤなどによって初期化されることができる。
【００３８】
ＤＲＳシーケンスは、サブフレーム毎に生成され、ＯＦＤＭシンボル単位に適用されることができる。一つのサブフレーム内で、リソースブロック当たり参照信号副搬送波の個数は１２個であり、リソースブロックの個数はＮＲＢＰＤＳＣＨと仮定する。全体参照信号副搬送波の個数は１２×ＮＲＢＰＤＳＣＨである。従って、ＤＲＳシーケンスの長さは１２×ＮＲＢＰＤＳＣＨとなる。数式２を用いてＤＲＳシーケンスを生成する場合、ｍは０,１,...,１２ＮＲＢＰＤＳＣＨ−１である。ＤＲＳシーケンスは順に参照シンボルにマッピングされる。まず、ＤＲＳシーケンスは一つのＯＦＤＭシンボルで副搬送波インデックスの昇順に参照シンボルにマッピングされた後、次のＯＦＤＭシンボルにマッピングされる。
【００３９】
ＬＴＥ−ＡシステムにおけるＤＲＳは、ＰＤＳＣＨ復調のためのＤＭＲＳ(Ｄｅｍｏｄｕｌａｔｉｏｎ Ｒｅｆｅｒｅｎｃｅ Ｓｉｇｎａｌ)として使われることができる。即ち、ＤＭＲＳはビーム形成(ｂｅａｍｆｏｒｍｉｎｇ)のために使われるＬＴＥ Ｒｅｌ−８システムのＤＲＳを複数のレイヤに拡張した概念である。ＰＤＳＣＨとＤＭＲＳは同じなプリコーディング動作をすることができる。ＤＭＲＳは、基地局によりスケジューリングされたリソースブロックまたは階層(ｌａｙｅｒ)でのみ送信されることができ、各階層間には互いに直交性(ｏｒｔｈｏｇｏｎａｌｉｔｙ)を維持する。
【００４０】
図１２は、ＬＴＥ−ＡシステムのＤＭＲＳ構造の一例である。これはノーマルＣＰ構造で４個の送信アンテナをサポートするＬＴＥ−ＡシステムのＤＭＲＳ構造である。ＣＳＩ−ＲＳは、ＬＴＥ Ｒｅｌ−８システムのＣＲＳをそのまま用いることができる。ＤＭＲＳは、各スロットの最後の２個のＯＦＤＭシンボル、即ち、６番目、７番目、１３番目及び１４番目のＯＦＤＭシンボルで送信される。ＤＭＲＳが送信されるＯＦＤＭシンボル内でＤＭＲＳは、１番目、２番目、６番目、７番目、１１番目及び１２番目の副搬送波にマッピングされる。
【００４１】
また、ＣＲＳはＤＲＳと同時に使われることができる。例えば、サブフレーム内の１番目のスロットの３ＯＦＤＭシンボル(l＝０,１,２)を介して制御情報が送信されると仮定する。ＯＦＤＭシンボルインデックスが０、１、２(l＝０,１,２)であるＯＦＤＭシンボルではＣＲＳを使用し、３個ＯＦＤＭシンボルを除いた残りのＯＦＤＭシンボルではＤＲＳを使用することができる。この時、セル別ダウンリンク参照信号に予め定義されたシーケンスをかけて送信することによって、受信機で隣接セルから受信される参照信号の干渉を減少させ、チャネル推定の性能を向上させることができる。前記予め定義されたシーケンスは、ＰＮシーケンス、ｍ−シーケンス、ウォルシュアダマール(Ｗａｌｓｈ ｈａｄａｍａｒｄ)シーケンス、ＺＣシーケンス、ＧＣＬシーケンス、ＣＡＺＡＣシーケンスなどのうちいずれか一つである。前記予め定義されたシーケンスは、一つのサブフレーム内のＯＦＤＭシンボル単位に適用が可能であり、また、セルＩＤ、サブフレーム番号、ＯＦＤＭシンボルの位置、端末ＩＤなどによって他のシーケンスが適用されることができる。
【００４２】
中継局を含む無線通信システムで中継領域(ｒｅｌａｙ ｚｏｎｅ)が定義されることができる。中継領域は、基地局が送信するダウンリンクサブフレーム内に中継局のための制御チャネル(以下、Ｒ−ＰＤＣＣＨという)または中継局のためのデータチャネル(以下、Ｒ−ＰＤＳＣＨという)の送信が行われる区間を意味する。即ち、ダウンリンクサブフレーム内にバックホール送信が行われる区間である。
【００４３】
図１３は、中継領域が割り当てられたダウンリンクサブフレームの一例である。
【００４４】
図１３−(ａ)は、基地局が中継局または端末に送信するダウンリンクバックホールサブフレームの一例を示す。前方部の３個のＯＦＤＭシンボルは、基地局の送信するＰＤＣＣＨが占める領域である。ダウンリンクバックホールサブフレームで中継領域は４番目のＯＦＤＭシンボルから始め、Ｒ−ＰＤＣＣＨまたはＲ−ＰＤＳＣＨが送信される中継領域は、マクロ端末(ｍａｃｒｏ ＵＥ)のためのＰＤＳＣＨとＦＤＭ(Ｆｒｅｑｕｅｎｃｙ ＤｉｖｉｓｉｏｎＭｕｌｔｉｐｌｅｘｉｎｇ)方式、またはＦＤＭ方式とＴＤＭ(Ｔｉｍｅ Ｄｉｖｉｓｉｏｎ Ｍｕｌｔｉｐｌｅｘｉｎｇ)方式を結合した方式に多重化されることができる。中継領域の開始地点は、中継局が送信するＲＮ ＰＤＣＣＨの大きさにより決定されることができる。図１３−(ｂ)は、中継局が端末に送信するダウンリンクアクセスサブフレームの一例を示す。中継局が端末に送信するＲＮ ＰＤＣＣＨが前方部の２個のＯＦＤＭシンボルを占める時、基地局はダウンリンクバックホールサブフレームに中継領域の開始地点を４番目のＯＦＤＭシンボルに指定することができる。中継領域の割当は、セル特定(ｃｅｌｌ−ｓｐｅｃｉｆｉｃ)方式にまたは中継局特定(ＲＮ−ｓｐｅｃｉｆｉｃ)方式に割り当てられることができ、また、中継領域の割当は動的に(ｄｙｎａｍｉｃａｌｌｙ)または半永久的(ｓｅｍｉ−ｐｅｒｓｉｓｔｅｎｔｌｙ)に割り当てられることができる。一方、中継局が前方部の２個のＯＦＤＭシンボルを介してＲＮ ＰＤＣＣＨを送信し、その次に端末からアップリンク制御信号またはアップリンクデータを受信する時、送信から受信に転換するための時間が必要である。従って、３番目のＯＦＤＭシンボルは、転換ギャップ(ｔｒａｎｓｉｔｉｏｎ ｇａｐ)として使われることができる。
【００４５】
図１４は、中継領域が割り当てられたリソースブロックの一例である。図１４−(ａ)及び図１４−(ｂ)で、中継領域は、４番目のＯＦＤＭシンボルから１３番目のＯＦＤＭシンボルまで割り当てられる。図１４−(ａ)で、４番目のＯＦＤＭシンボル乃至６番目のＯＦＤＭシンボルはＲ−ＰＤＣＣＨが送信される領域であり、７番目のＯＦＤＭシンボル乃至１３番目のＯＦＤＭシンボルはＲ−ＰＤＳＣＨが送信される領域である。図１４−(ｂ)で、８番目のＯＦＤＭシンボル乃至１０番目のＯＦＤＭシンボル、即ち、一つのサブフレームの２番目のスロットの前方部の３個のＯＦＤＭシンボルはＲ−ＰＤＣＣＨが送信される領域であり、４番目のＯＦＤＭシンボル乃至７番目のＯＦＤＭシンボル及び１１番目のＯＦＤＭシンボル乃至１３番目のＯＦＤＭシンボルは、Ｒ−ＰＤＳＣＨまたはマクロＬＴＥ−Ａ端末のためのＰＤＳＣＨが送信される領域である。図１４を参照すると、Ｒ−ＰＤＣＣＨは、基地局が送信するＰＤＣＣＨ領域に続いて割り当てられたり、或いはサブフレームの２番目のスロットに合わせて割り当てられることができる。一方、図１４で、Ｒ０乃至Ｒ３は、ＬＴＥ Ｒｅｌ−８システムのアンテナポート０乃至３に対する参照信号が割り当てられるリソース要素を意味する。
【００４６】
以下、実施例を介して提案された参照信号送信方法を説明する。
【００４７】
ＬＴＥ−Ａシステムに中継局が導入されることができ、ＬＴＥ−Ａシステムは最大８個の送信アンテナをサポートすることができる。中継局は、基地局が送信した参照信号を受信し、チャネル推定またはデータ復調を実行することができる。この時、中継局は、参照信号としてＬＴＥ Ｒｅｌ−８システムのＣＲＳ、ＬＴＥ−ＡシステムのＣＳＩ−ＲＳまたはＤＭＲＳ(Ｄｅｍｏｄｕｌａｔｉｏｎ Ｒｅｆｅｒｅｎｃｅ Ｓｉｇｎａｌ)、または新たなＣＲＳ(ＬＴＥ Ｒｅｌ−８システムに基づいてＬＴＥ−Ａシステムで使用するＤＲＳであってもよい)を用いることができる。一方、中継領域がＲ−ＰＤＣＣＨまたはＲ−ＰＤＳＣＨの送信のためにサブフレーム内に割り当てられるため、中継局のための参照信号は、中継領域内に割り当てられる必要があり、これによって既存とは異なる新たな参照信号パターンが要求される。
【００４８】
図１５は、提案された参照信号送信方法の一実施例である。
【００４９】
段階Ｓ１００で、基地局は複数のアンテナポートに対する複数の参照信号を生成する。段階Ｓ１１０で、基地局は前記複数の参照信号を所定の参照信号パターンによって少なくとも一つのリソースブロックにマッピングする。段階Ｓ１２０で、基地局は前記少なくとも一つのリソースブロックを中継局に送信する。前記複数の参照信号が少なくても一つのリソースブロックにマッピングされる時、ＬＴＥ Ｒｅｌ−８システムのＣＲＳを用いることができ、追加的なアンテナポートに対する参照信号が追加にリソース要素にマッピングされることができる。
【００５０】
基地局は、中継局がＲ−ＰＤＣＣＨまたはＲ−ＰＤＳＣＨの復調のためにＬＴＥ Ｒｅｌ−８システムのＣＲＳを用いてデコーディングをしなければならないか、ＬＴＥ−ＡシステムのＤＭＲＳ(Ｄｅｍｏｄｕｌａｔｉｏｎ Ｒｅｆｅｒｅｎｃｅ Ｓｉｇｎａｌ)を用いてデコーディングをしなければならないかを中継局に知らせることができる。この時、該当情報は、上位階層(ｈｉｇｈｅｒ ｌａｙｅｒ)を介して送信されたり、或いはＰＤＣＣＨまたはブロードキャスティングなどを用いてＬ１/Ｌ２シグナリングされることができる。または、基地局は、中継局がＲ−ＰＤＣＣＨまたはＲ−ＰＤＳＣＨの復調のためにＬＴＥ Ｒｅｌ−８システムのＣＲＳを用いてデコーディングをしなければならないか、新たに定義したＣＲＳを用いてデコーディングをしなければならないかを中継局に知らせることができる。この時、該当情報は、上位階層(ｈｉｇｈｅｒ ｌａｙｅｒ)を介して送信されたり、或いはＰＤＣＣＨまたはブロードキャスティングなどを用いてＬ１/Ｌ２シグナリングされることができる。中継局がＲ−ＰＤＣＣＨの復調のために使用する参照信号の種類は、サブフレームタイプによって変化したり動的に変化しない。また、前記複数の参照信号はＲ−ＰＤＣＣＨ領域にマッピングされることができる。
【００５１】
以下、提案された参照信号送信方法が適用された多様な参照信号パターンを説明する。以下の説明で、図面の(ａ)は、図１４−(ａ)のようにＲ−ＰＤＣＣＨが中継領域の前方部のＮ個のＯＦＤＭシンボルに割り当てられた場合であり、図面の(ｂ)は、図１４−(ｂ)のようにＲ−ＰＤＣＣＨがサブフレームの２番目のスロットの前方部のＮ個のＯＦＤＭシンボルに割り当てられる場合である。また、以下の参照信号パターンで横軸は時間領域を示し、縦軸は周波数領域を示す。
【００５２】
まず、Ｒ−ＰＤＣＣＨがサブフレームの４番目のＯＦＤＭシンボルから始める場合、即ち、基地局の送信するＰＤＣＣＨが前方部の３個のＯＦＤＭシンボルを占める場合を説明する。
【００５３】
図１６及び図１７は、提案された参照信号送信方法による参照信号パターンの一例である。
【００５４】
図１６及び図１７は、ノーマルＣＰの場合であり、ＬＴＥ Ｒｅｌ−８システムのＣＲＳとしてアンテナポート０に対するＣＲＳ(Ｒ０)が送信されることができる。Ｒ０がマッピングされるリソース要素は図７に基づく。送信されるＲ０のうちＲ−ＰＤＣＣＨ領域で送信されるＲ０が中継局のための参照信号として使われることができる。即ち、図１６−(ａ)及び図１７−(ａ)で、Ｒ−ＰＤＣＣＨ領域内の５番目のＯＦＤＭシンボルで送信されるＲ０を中継局が用いることができ、図１６−(ｂ)及び図１７−(ｂ)で、Ｒ−ＰＤＣＣＨ領域内の８番目のＯＦＤＭシンボルで送信されるＲ０を中継局が用いることができる。アンテナポート０を除いた残りのアンテナポートに対する参照信号は、追加にＲ−ＰＤＣＣＨ領域内のリソース要素にマッピングされることができる。中継局は、前記Ｒ０及び追加にマッピングされる参照信号を受信し、チャネル推定及びデータ復調を実行することができる。
【００５５】
図１６は、中継局に対して最大４個のアンテナがサポートされる場合である。Ｒ０以外にアンテナポート１乃至３に対する中継局に対する参照信号であるＮ１乃至Ｎ３が追加にＲ−ＰＤＣＣＨ領域内のリソース要素にマッピングされることができる。図１６−(ａ)で、Ｎ１は、Ｒ０がマッピングされた５番目のＯＦＤＭシンボルの６番目及び１２番目の副搬送波にマッピングされることができる。Ｎ２及びＮ３は、４番目のＯＦＤＭシンボルの３番目の副搬送波と９番目の副搬送波及び６番目の副搬送波と１２番目の副搬送波に各々マッピングされることができる。図１６−(ｂ)で、Ｎ１は、Ｒ０がマッピングされた８番目のＯＦＤＭシンボルの６番目及び１２番目の副搬送波にマッピングされることができる。Ｎ２及びＮ３は、９番目のＯＦＤＭシンボルの３番目の副搬送波と９番目の副搬送波及び６番目の副搬送波と１２番目の副搬送波に各々マッピングされることができる。Ｎ１乃至Ｎ３がマッピングされるリソース要素は、本実施例の参照信号パターンに限定されず、Ｒ−ＰＤＣＣＨ領域内のいずれのリソース要素にもマッピングされることができる。例えば、Ｎ２及びＮ３は、図１６−(ａ)で４番目のＯＦＤＭシンボルでない６番目のＯＦＤＭシンボルに、図１６−(ｂ)で９番目のＯＦＤＭシンボルでない１０番目のＯＦＤＭシンボルにマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００５６】
図１７は、中継局に対して最大８個のアンテナがサポートされる場合である。Ｒ０以外にアンテナポート１乃至７に対する中継局に対する参照信号であるＮ１乃至Ｎ７が追加にＲ−ＰＤＣＣＨ領域内のリソース要素にマッピングされることができる。図１７−(ａ)で、Ｎ１はＲ０がマッピングされた５番目のＯＦＤＭシンボルに、Ｎ２及びＮ３は４番目のＯＦＤＭシンボルに、Ｎ４乃至Ｎ７は６番目のＯＦＤＭシンボルに各々マッピングされることができる。図１７−(ｂ)で、Ｎ１はＲ０がマッピングされた８番目のＯＦＤＭシンボルに、Ｎ２及びＮ３は９番目のＯＦＤＭシンボルに、Ｎ４乃至Ｎ７は１０番目のＯＦＤＭシンボルに各々マッピングされることができる。Ｎ１乃至Ｎ７がマッピングされるリソース要素は、本実施例の参照信号パターンに限定されず、Ｒ−ＰＤＣＣＨ領域内のいずれのリソース要素にもマッピングされることができる。例えば、ＯＦＤＭシンボル内での各参照信号間の副搬送波間隔が多様に調整されることができ、一つのＯＦＤＭシンボル内で複数の参照信号が全帯域にわたって送信されることもできる。
【００５７】
図１８及び図１９は、提案された参照信号送信方法による参照信号パターンの他の例である。
【００５８】
図１８及び図１９は、ノーマルＣＰの場合であり、ＬＴＥ Ｒｅｌ−８システムのＣＲＳとしてアンテナポート０及び１に対するＣＲＳ(Ｒ０,Ｒ１)が送信されることができる。Ｒ０及びＲ１がマッピングされるリソース要素は図８に基づく。送信されるＲ０及びＲ１のうちＲ−ＰＤＣＣＨ領域で送信されるＲ０及びＲ１が中継局のための参照信号として使われることができる。即ち、図１８−(ａ)及び図１９−(ａ)で、Ｒ−ＰＤＣＣＨ領域内の５番目のＯＦＤＭシンボルで送信されるＲ０及びＲ１を中継局が用いることができ、図１８−(ｂ)及び図１９−(ｂ)で、Ｒ−ＰＤＣＣＨ領域内の８番目のＯＦＤＭシンボルで送信されるＲ０及びＲ１を中継局が用いることができる。アンテナポート０及び１を除いた残りのアンテナポートに対する参照信号は、追加にＲ−ＰＤＣＣＨ領域内のリソース要素にマッピングされることができる。中継局は、前記Ｒ０とＲ１及び追加にマッピングされる参照信号を受信し、チャネル推定及びデータ復調を実行することができる。
【００５９】
図１８は、中継局に対して最大４個のアンテナがサポートされる場合である。Ｒ０とＲ１以外にアンテナポート２及び３に対する中継局に対する参照信号であるＮ２及びＮ３が追加にＲ−ＰＤＣＣＨ領域内のリソース要素にマッピングされることができる。図１８−(ａ)で、Ｎ２及びＮ３は、４番目のＯＦＤＭシンボルの３番目の副搬送波と９番目の副搬送波及び６番目の副搬送波と１２番目の副搬送波に各々マッピングされることができる。図１８−(ｂ)で、Ｎ２及びＮ３は、９番目のＯＦＤＭシンボルの３番目の副搬送波と９番目の副搬送波及び６番目の副搬送波と１２番目の副搬送波に各々マッピングされることができる。Ｎ２及びＮ３がマッピングされるリソース要素は、本実施例の参照信号パターンに限定されず、Ｒ−ＰＤＣＣＨ領域内のいずれのリソース要素にもマッピングされることができる。例えば、Ｎ２及びＮ３は、図１８−(ａ)で４番目のＯＦＤＭシンボルでない６番目のＯＦＤＭシンボルに、図１８−(ｂ)で９番目のＯＦＤＭシンボルでない１０番目のＯＦＤＭシンボルにマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００６０】
図１９は、中継局に対して最大８個のアンテナがサポートされる場合である。Ｒ０とＲ１以外にアンテナポート２乃至７に対する中継局に対する参照信号であるＮ２乃至Ｎ７が追加にＲ−ＰＤＣＣＨ領域内のリソース要素にマッピングされることができる。図１９−(ａ)で、Ｎ２及びＮ３は４番目のＯＦＤＭシンボルに、Ｎ４乃至Ｎ７は６番目のＯＦＤＭシンボルに各々マッピングされることができる。図１９−(ｂ)で、Ｎ２及びＮ３は９番目のＯＦＤＭシンボルに、Ｎ４乃至Ｎ７は１０番目のＯＦＤＭシンボルに各々マッピングされることができる。Ｎ２乃至Ｎ７がマッピングされるリソース要素は、本実施例の参照信号パターンに限定されず、Ｒ−ＰＤＣＣＨ領域内のいずれのリソース要素にもマッピングされることができる。例えば、ＯＦＤＭシンボル内での各参照信号間の副搬送波間隔が多様に調整されることができ、一つのＯＦＤＭシンボル内で前記Ｎ２乃至Ｎ７が全帯域にわたって送信されることもできる。
【００６１】
図２０及び図２１は、提案された参照信号送信方法による参照信号パターンの他の例である。
【００６２】
図２０及び図２１は、ノーマルＣＰの場合であり、ＬＴＥ Ｒｅｌ−８システムのＣＲＳとしてアンテナポート０乃至３に対するＣＲＳ(Ｒ０〜Ｒ３)が送信されることができる。Ｒ０乃至Ｒ１がマッピングされるリソース要素は図９に基づく。送信されるＲ０乃至Ｒ３のうちＲ−ＰＤＣＣＨ領域で送信されるＲ０乃至Ｒ３が中継局のための参照信号として使われることができる。即ち、図２０−(ａ)及び図２１−(ａ)で、Ｒ−ＰＤＣＣＨ領域内の５番目のＯＦＤＭシンボルで送信されるＲ０及びＲ１を中継局が用いることができ、図２０−(ｂ)及び図２１−(ｂ)で、Ｒ−ＰＤＣＣＨ領域内の８番目及び９番目のＯＦＤＭシンボルで送信されるＲ０乃至Ｒ３を中継局が用いることができる。アンテナポート０乃至３を除いた残りのアンテナポートに対する参照信号は、追加にＲ−ＰＤＣＣＨ領域内のリソース要素にマッピングされることができる。中継局は、前記Ｒ０乃至Ｒ３及び追加にマッピングされる参照信号を受信し、チャネル推定及びデータ復調を実行することができる。
【００６３】
図２０は、中継局に対して最大４個のアンテナがサポートされる場合である。図２０−(ａ)で、Ｒ０とＲ１以外にアンテナポート２及び３に対する中継局に対する参照信号であるＮ２及びＮ３が追加にＲ−ＰＤＣＣＨ領域内のリソース要素にマッピングされることができる。Ｎ２及びＮ３は、４番目のＯＦＤＭシンボルの３番目の副搬送波と９番目の副搬送波及び６番目の副搬送波と１２番目の副搬送波に各々マッピングされることができる。Ｎ２及びＮ３がマッピングされるリソース要素は、本実施例の参照信号パターンに限定されず、Ｒ−ＰＤＣＣＨ領域内のいずれのリソース要素にもマッピングされることができる。例えば、Ｎ２及びＮ３は、図２０−(ａ)で４番目のＯＦＤＭシンボルでない６番目のＯＦＤＭシンボルに、図２０−(ｂ)で９番目のＯＦＤＭシンボルでない１０番目のＯＦＤＭシンボルにマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。一方、図２０−(ｂ)でＲ−ＰＤＣＣＨ領域内にＬＴＥ Ｒｅｌ−８システムのアンテナポート０乃至３に対するＣＲＳであるＲ０乃至Ｒ３が全部送信されるため、最大４個のアンテナをサポートするために中継局のための参照信号を追加にマッピングする必要がない。
【００６４】
図２１は、中継局に対して最大８個のアンテナがサポートされる場合である。図２１−(ａ)で、Ｒ０とＲ１以外にアンテナポート２乃至７に対する中継局に対する参照信号であるＮ２乃至Ｎ７が追加にＲ−ＰＤＣＣＨ領域内のリソース要素にマッピングされることができる。Ｎ２及びＮ３は４番目のＯＦＤＭシンボルに、Ｎ４乃至Ｎ７は６番目のＯＦＤＭシンボルに各々マッピングされることができる。図２１−(ｂ)で、Ｒ０乃至Ｒ３以外にアンテナポート４乃至７に対する中継局に対する参照信号であるＮ４乃至Ｎ７が追加にＲ−ＰＤＣＣＨ領域内のリソース要素にマッピングされることができる。Ｎ４乃至Ｎ７は１０番目のＯＦＤＭシンボルに各々マッピングされることができる。Ｎ２乃至Ｎ７がマッピングされるリソース要素は、本実施例の参照信号パターンに限定されず、Ｒ−ＰＤＣＣＨ領域内のいずれのリソース要素にもマッピングされることができる。例えば、ＯＦＤＭシンボル内での各参照信号間の副搬送波間隔が多様に調整されることができ、一つのＯＦＤＭシンボル内で前記Ｎ２乃至Ｎ７またはＮ４乃至Ｎ７が全帯域にわたって送信されることもできる。
【００６５】
図２２乃至図２７は、提案された参照信号送信方法による参照信号パターンの他の例である。図２２乃至図２７は、図１６乃至図２１に対応される拡張ＣＰの場合である。即ち、図２２及び図２３でＬＴＥ Ｒｅｌ−８システムのＣＲＳとしてアンテナポート０に対するＣＲＳ(Ｒ０)が送信され、図２４及び図２５でアンテナポート０及び１に対するＣＲＳ(Ｒ０,Ｒ１)が送信され、図２６及び図２７でアンテナポート０乃至３に対するＣＲＳ(Ｒ０〜Ｒ３)が送信される。また、図２２、図２４及び図２６で中継局に対して最大４個のアンテナがサポートされ、図２３、図２５及び図２７で中継局に対して最大８個のアンテナがサポートされる。図１６乃至図２１で説明された実施例と同様に、ＬＴＥ Ｒｅｌ−８システムのＣＲＳのうちＲ−ＰＤＣＣＨ領域で送信されるＣＲＳが中継局のための参照信号として使われることができる。ＣＲＳが送信されるアンテナポートを除いた残りのアンテナポートに対する参照信号は、追加にＲ−ＰＤＣＣＨ領域内のリソース要素にマッピングされることができる。中継局は、ＣＲＳ及び追加にマッピングされる参照信号を受信し、チャネル推定及びデータ復調を実行することができる。追加的な参照信号がマッピングされるリソース要素は、本実施例の参照信号パターンに限定されず、Ｒ−ＰＤＣＣＨ領域内のいずれのリソース要素にもマッピングされることができる。本実施例で追加的な参照信号がマッピングされたＯＦＤＭシンボル以外にＲ−ＰＤＣＣＨ領域内の他のＯＦＤＭシンボルに追加的な参照信号がマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００６６】
以上の実施例でＲ−ＰＤＣＣＨに割り当てられたＯＦＤＭシンボルの個数を３個と仮定したが、本発明はＲ−ＰＤＣＣＨに割り当てられたＯＦＤＭシンボルの個数が１個以上である場合にも適用することができる。即ち、中継局のための参照信号は、Ｒ−ＰＤＣＣＨ領域内にマッピングされてもよく、またはＲ−ＰＤＣＣＨ領域外にマッピングされてもよい。
【００６７】
一方、ＬＴＥ−Ａシステムで帯域幅が１.４ＭＨｚである場合にダウンリンクで使われる全体リソースブロックの個数は１０個以下であり、この時、サブフレームの前方部の４個のＯＦＤＭシンボルまで基地局の送信するＰＤＣＣＨが割り当てられることができる。これによって、Ｒ−ＰＤＣＣＨがサブフレームの５番目のＯＦＤＭシンボルから始めることができ、図１６乃至図２７とは異なる参照信号パターンが必要である。
【００６８】
図２８及び図２９は、提案された参照信号送信方法による参照信号パターンの他の例である。
【００６９】
図２８及び図２９は、ノーマルＣＰの場合であり、図１６及び図１７に対応される。アンテナポート０に対するＣＲＳ(Ｒ０)が送信され、送信されるＲ０のうちＲ−ＰＤＣＣＨ領域で送信されるＲ０が中継局のための参照信号として使われることができる。即ち、図２８−(ａ)及び図２９−(ａ)で、Ｒ−ＰＤＣＣＨ領域内の５番目のＯＦＤＭシンボルで送信されるＲ０を中継局が用いることができ、図２８−(ｂ)及び図２９−(ｂ)で、Ｒ−ＰＤＣＣＨ領域内の８番目のＯＦＤＭシンボルで送信されるＲ０を中継局が用いることができる。アンテナポート０を除いた残りのアンテナポートに対する参照信号は、追加にＲ−ＰＤＣＣＨ領域内のリソース要素にマッピングされることができる。中継局は、前記Ｒ０及び追加にマッピングされる参照信号を受信し、チャネル推定及びデータ復調を実行することができる。図２８は、中継局に対して最大４個のアンテナがサポートされる場合であり、図２９は、中継局に対して最大８個のアンテナがサポートされる場合である。追加的な参照信号がマッピングされるリソース要素は、本実施例の参照信号パターンに限定されず、Ｒ−ＰＤＣＣＨ領域内のいずれのリソース要素にもマッピングされることができる。本実施例で追加的な参照信号がマッピングされたＯＦＤＭシンボル以外にＲ−ＰＤＣＣＨ領域内の他のＯＦＤＭシンボルに追加的な参照信号がマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００７０】
図３０及び図３１は、提案された参照信号送信方法による参照信号パターンの他の例である。
【００７１】
図３０及び図３１は、ノーマルＣＰの場合であり、図１８及び図１９に対応される。アンテナポート０及び１に対するＣＲＳ(Ｒ０,Ｒ１)が送信され、送信されるＲ０及びＲ１のうちＲ−ＰＤＣＣＨ領域で送信されるＲ０及びＲ１が中継局のための参照信号として使われることができる。即ち、図３０−(ａ)及び図３１−(ａ)で、Ｒ−ＰＤＣＣＨ領域内の５番目のＯＦＤＭシンボルで送信されるＲ０及びＲ１を中継局が用いることができ、図３０−(ｂ)及び図３１−(ｂ)で、Ｒ−ＰＤＣＣＨ領域内の８番目のＯＦＤＭシンボルで送信されるＲ０及びＲ１を中継局が用いることができる。アンテナポート０及び１を除いた残りのアンテナポートに対する参照信号は、追加にＲ−ＰＤＣＣＨ領域内のリソース要素にマッピングされることができる。中継局は、前記Ｒ０とＲ１及び追加にマッピングされる参照信号を受信し、チャネル推定及びデータ復調を実行することができる。図３０は、中継局に対して最大４個のアンテナがサポートされる場合であり、図３１は、中継局に対して最大８個のアンテナがサポートされる場合である。追加的な参照信号がマッピングされるリソース要素は、本実施例の参照信号パターンに限定されず、Ｒ−ＰＤＣＣＨ領域内のいずれのリソース要素にもマッピングされることができる。本実施例で追加的な参照信号がマッピングされたＯＦＤＭシンボル以外にＲ−ＰＤＣＣＨ領域内の他のＯＦＤＭシンボルに追加的な参照信号がマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００７２】
図３２及び図３３は、提案された参照信号送信方法による参照信号パターンの他の例である。
【００７３】
図３２及び図３３は、ノーマルＣＰの場合であり、図２０及び図２１に対応される。アンテナポート０乃至３に対するＣＲＳ(Ｒ０〜Ｒ３)が送信され、送信されるＲ０乃至Ｒ３のうちＲ−ＰＤＣＣＨ領域で送信されるＲ０乃至Ｒ３が中継局のための参照信号として使われることができる。即ち、図３２−(ａ)及び図３３−(ａ)で、Ｒ−ＰＤＣＣＨ領域内の５番目のＯＦＤＭシンボルで送信されるＲ０及びＲ１を中継局が用いることができ、図３２−(ｂ)及び図３３−(ｂ)で、Ｒ−ＰＤＣＣＨ領域内の８番目及び９番目のＯＦＤＭシンボルで送信されるＲ０乃至Ｒ３を中継局が用いることができる。アンテナポート０乃至３を除いた残りのアンテナポートに対する参照信号は、追加にＲ−ＰＤＣＣＨ領域内のリソース要素にマッピングされることができる。図３２−(ｂ)で、Ｒ−ＰＤＣＣＨ領域内にＬＴＥ Ｒｅｌ−８システムのアンテナポート０乃至３に対するＣＲＳであるＲ０乃至Ｒ３が全部送信されるため、最大４個のアンテナをサポートするために中継局のための参照信号を追加にマッピングする必要がない。中継局は、前記Ｒ０乃至Ｒ３及び追加にマッピングされる参照信号を受信し、チャネル推定及びデータ復調を実行することができる。図３２は、中継局に対して最大４個のアンテナがサポートされる場合であり、図３３は、中継局に対して最大８個のアンテナがサポートされる場合である。追加的な参照信号がマッピングされるリソース要素は、本実施例の参照信号パターンに限定されず、Ｒ−ＰＤＣＣＨ領域内のいずれのリソース要素にもマッピングされることができる。本実施例で追加的な参照信号がマッピングされたＯＦＤＭシンボル以外にＲ−ＰＤＣＣＨ領域内の他のＯＦＤＭシンボルに追加的な参照信号がマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００７４】
図２８乃至図３３の実施例が拡張ＣＰの場合にも適用されることができる。ただし、サブフレームの前方部の４個のＯＦＤＭシンボルは、基地局が送信するＰＤＣＣＨに割り当てられるため、１番目のスロットで送信されるＣＲＳを中継局のために使用することができない。従って、１番目のスロットの４番目のＯＦＤＭシンボルに割り当てられたＲ０及びＲ１を２番目のスロットの１番目のＯＦＤＭシンボルに割り当てられたＲ０及びＲ１に変えて中継局のための参照信号として用いることができる。即ち、ＰＤＣＣＨが前方部の４個のＯＦＤＭシンボルを占める場合、Ｒ−ＰＤＣＣＨは、５番目のＯＦＤＭシンボルから割り当てられるため、２番目のスロットの１番目のＯＦＤＭシンボルを中継局のための参照信号として使用することができる。ＣＲＳが送信されるアンテナポートを除いた残りのアンテナポートに対する参照信号は、追加にＲ−ＰＤＣＣＨ領域内のリソース要素にマッピングされることができる。中継局は、ＣＲＳ及び追加にマッピングされる参照信号を受信し、チャネル推定及びデータ復調を実行することができる。追加的な参照信号がマッピングされるリソース要素は、本実施例の参照信号パターンに限定されず、Ｒ−ＰＤＣＣＨ領域内のいずれのリソース要素にもマッピングされることができる。Ｒ−ＰＤＣＣＨ領域内の他のＯＦＤＭシンボルに追加的な参照信号がマッピングされることができる。また、ＯＦＤＭシンボル内での各参照信号間の副搬送波間隔も多様に調整されることができ、一つのＯＦＤＭシンボル内で複数の参照信号が全帯域にわたって送信されることもできる。
【００７５】
一方、前記実施例のように基地局で送信されたＣＲＳを使用し、前記ＣＲＳと追加アンテナポートのための参照信号をＣＤＭ(Ｃｏｄｅ Ｄｉｖｉｓｉｏｎ Ｍｕｌｔｉｐｌｅｘｉｎｇ)、ＴＤＭ(Ｔｉｍｅ ＤｉｖｉｓｉｏｎＭｕｌｔｉｐｌｅｘｉｎｇ)またはＦＤＭ(Ｆｒｅｑｕｅｎｃｙ Ｄｉｖｉｓｉｏｎ Ｍｕｌｔｉｐｌｅｘｉｎｇ)方式のうち少なくとも一つを用いて多重化することができる。前記多重化方式のうち２個以上の方式を組み合わせてハイブリッド(ｈｙｂｒｉｄ)多重化方式を使用することができる。
【００７６】
図３４は、提案された参照信号送信方法による参照信号パターンの他の例である。図３４で複数の参照信号がＣＤＭ方式に多重化され、多重化された複数の参照信号は時間領域によってマッピングされる。図３４−(ａ)は、最大４個のアンテナをサポートする場合であり、Ｒ０とＲ２及びＲ１とＲ３は、各々、長さ２コードを直交コード(ｏｒｔｈｏｇｏｎａｌ ｃｏｄｅ)によりＣＤＭ方式に多重化され、４番目及び５番目のＯＦＤＭシンボルにマッピングされることができる。直交コードとしてＤＦＴコード、ウォルシュ(Ｗａｌｓｈ)コードなどの多様な種類のコードが使われることができる。図３４−(ｂ)は、最大８個のアンテナをサポートする場合であり、図３４−(ａ)と同様に、(Ｎ０,Ｎ２)、(Ｎ１,Ｎ３)、(Ｎ４,Ｎ５)、(Ｎ６,Ｎ７)は、各々、長さ２コードを直交コードによりＣＤＭ方式に多重化され、４番目及び５番目のＯＦＤＭシンボルにマッピングされることができる。
【００７７】
図３５は、提案された参照信号送信方法による参照信号パターンの他の例である。図３５で複数の参照信号がＣＤＭ方式に多重化され、多重化された複数の参照信号は周波数領域によってマッピングされる。図３５−(ａ)は、最大４個のアンテナをサポートする場合であり、Ｎ０とＮ２及びＮ１とＮ３は、各々、長さ２コードを直交コードによりＣＤＭ方式に多重化され、５番目のＯＦＤＭシンボルにマッピングされることができる。直交コードとしてＤＦＴコード、ウォルシュ(Ｗａｌｓｈ)コードなどの多様な種類のコードが使われることができる。図３５−(ｂ)は、最大８個のアンテナをサポートする場合であり、図３５−(ａ)と同様に、(Ｎ０,Ｎ２)、(Ｎ１,Ｎ３)、(Ｎ４,Ｎ５)、(Ｎ６,Ｎ７)は、各々、長さ２コードを直交コードによりＣＤＭ方式に多重化され、(Ｎ０,Ｎ２,Ｎ４,Ｎ５)と(Ｎ１,Ｎ３,Ｎ６,Ｎ７)は、各々、長さ４コードを直交コードによりＣＤＭ方式に多重化され、４番目及び５番目のＯＦＤＭシンボルにマッピングされることができる。
【００７８】
図３６は、提案された参照信号送信方法による参照信号パターンの他の例である。図３６で複数の参照信号がＦＤＭ方式に多重化される。図３６−(ａ)は、最大４個のアンテナをサポートする場合であり、Ｒ０乃至Ｒ３がＦＤＭ方式に多重化されて５番目のＯＦＤＭシンボルにマッピングされることができる。図３６−(ｂ)は、最大８個のアンテナをサポートする場合であり、図３６−(ａ)と同様に、Ｒ０乃至Ｒ３がＦＤＭ方式に多重化されて５番目のＯＦＤＭシンボルにマッピングされ、Ｒ４乃至Ｒ７がＦＤＭ方式に多重化されて４番目のＯＦＤＭシンボルにマッピングされることができる。各参照信号がマッピングされる副搬送波の位置は多様に変化することができる。
【００７９】
以上の実施例でＲ−ＰＤＣＣＨが３個のＯＦＤＭシンボルを占めると仮定したが、図３４乃至図３６の実施例は、Ｒ−ＰＤＣＣＨが２個以上のＯＦＤＭシンボルを占める場合にも適用することができる。
【００８０】
図３７は、提案された参照信号送信方法による参照信号パターンの他の例である。Ｒ−ＰＤＣＣＨに割り当てられたＯＦＤＭシンボルのうち１番目のＯＦＤＭシンボルに中継局のための参照信号が追加にマッピングされる。図３７で、ＣＲＳであるＲ０及びＲ１が５番目のＯＦＤＭシンボルにマッピングされ、追加的な参照信号であるＮ２乃至Ｎ７が４番目のＯＦＤＭシンボルにマッピングされることができる。図３７で、Ｒ−ＰＤＣＣＨが３個のＯＦＤＭシンボルを占めると仮定したが、図３７の実施例は、Ｒ−ＰＤＣＣＨが３個以上のＯＦＤＭシンボルを占める場合にも適用することができる。
【００８１】
図３８は、提案されたチャネル推定方法の一実施例である。
【００８２】
段階Ｓ２００で、中継局は基地局からダウンリンクサブフレームの中継領域を介して複数の参照信号を受信する。前記複数の参照信号は、ＬＴＥ Ｒｅｌ−８システムのＣＲＳ及び中継局のための追加的な参照信号であってもよい。また、前記複数の参照信号は、Ｒ−ＰＤＣＣＨ領域にマッピングされることができる。段階Ｓ２１０で、中継局は前記複数の参照信号を処理し、チャネル推定またはデータ復調を実行する。
【００８３】
図３９は、本発明の実施例が具現される基地局及び中継局を示すブロック図である。
【００８４】
基地局８００は、プロセッサ(ｐｒｏｃｅｓｓｏｒ)８１０、メモリ(ｍｅｍｏｒｙ)８２０、及びＲＦ部(Ｒａｄｉｏ Ｆｒｅｑｕｅｎｃｙ ｕｎｉｔ)８３０を含む。プロセッサ８１０は、提案された機能、過程及び/または方法を具現する。プロセッサ８１０は、複数のアンテナポートに対する複数の参照信号を生成し、前記複数の参照信号を所定の参照信号パターンによって少なくとも一つのリソースブロックにマッピングする。前記複数の参照信号が少なくても一つのリソースブロックにマッピングされる時、ＬＴＥ Ｒｅｌ−８システムのＣＲＳを用いることができ、追加的なアンテナポートに対する参照信号が追加にリソース要素にマッピングされることができる。また、前記複数の参照信号はＲ−ＰＤＣＣＨ領域にマッピングされることができる。基地局８００内のプロセッサ８１０により図１６乃至図３７の参照信号パターンが形成されることができる。無線インターフェースプロトコルの階層はプロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び/または受信し、前記少なくとも一つのリソースブロックを中継局に送信する。
【００８５】
中継局９００は、プロセッサ９１０、メモリ９２０及びＲＦ部９３０を含む。ＲＦ部９３０は、プロセッサ９１０と連結され、無線信号を送信及び/または受信し、複数の参照信号を受信する。前記複数の参照信号は、ＬＴＥ Ｒｅｌ−８システムのＣＲＳ及び中継局のための追加的な参照信号である。また、前記複数の参照信号はＲ−ＰＤＣＣＨ領域にマッピングされることができる。プロセッサ９１０は、提案された機能、過程及び/または方法を具現する。プロセッサ９１０は、前記複数の参照信号を処理し、チャネル推定またはデータ復調を実行する。無線インターフェースプロトコルの階層はプロセッサ９１０により具現されることができる。メモリ９２０は、プロセッサ９１０と連結され、プロセッサ９１０を駆動するための多様な情報を格納する。
【００８６】
プロセッサ８１０、９１０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/またはデータ処理装置を含むことができる。メモリ８２０、９２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部８３０、９３０は、無線信号を処理するためのベースバンド回路を含むことができる。実施例がソフトウェアで具現される時、前述した技法は、前述した機能を遂行するモジュール(過程、機能など)で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【００８７】
前述した例示的なシステムで、方法は一連の段階またはブロックで順序図に基づいて説明されているが、本発明は段階の順序に限定されるものではなく、ある段階は前述と異なる段階と異なる順序にまたは同時に発生することができる。また、当業者であれば、順序図に示す段階が排他的でなく、他の段階が含まれたり、或いは順序図の一つまたはその以上の段階が本発明の範囲に影響を及ぼさずに削除可能であることが理解することができる。
【００８８】
前述した実施例は多様な態様の例示を含む。多様な態様を示すための全ての可能な組み合わせを記述することはできないが、該当技術分野の通常の知識を有する者は、他の組み合わせが可能であることを認識することができる。従って、本発明は、特許請求の範囲内に属する全ての他の交替、修正、及び変更を含む。
【図１】
0005237503.tif 000010
【図２】
0005237503.tif 000011
【図３】
0005237503.tif 000012
【図４】
0005237503.tif 000013
【図５】
0005237503.tif 000014
【図６】
0005237503.tif 000015
【図７】
0005237503.tif 000016
【図８】
0005237503.tif 000017
【図９】
0005237503.tif 000018
【図１０】
0005237503.tif 000019
【図１１】
0005237503.tif 000020
【図１２】
0005237503.tif 000021
【図１３】
0005237503.tif 000022
【図１４】
0005237503.tif 000023
【図１５】
0005237503.tif 000024
【図１６】
0005237503.tif 000025
【図１７】
0005237503.tif 000026
【図１８】
0005237503.tif 000027
【図１９】
0005237503.tif 000028
【図２０】
0005237503.tif 000029
【図２１】
0005237503.tif 000030
【図２２】
0005237503.tif 000031
【図２３】
0005237503.tif 000032
【図２４】
0005237503.tif 000033
【図２５】
0005237503.tif 000034
【図２６】
0005237503.tif 000035
【図２７】
0005237503.tif 000036
【図２８】
0005237503.tif 000037
【図２９】
0005237503.tif 000038
【図３０】
0005237503.tif 000039
【図３１】
0005237503.tif 000040
【図３２】
0005237503.tif 000041
【図３３】
0005237503.tif 000042
【図３４】
0005237503.tif 000043
【図３５】
0005237503.tif 000044
【図３６】
0005237503.tif 000045
【図３７】
0005237503.tif 000046
【図３８】
0005237503.tif 000047
【図３９】
0005237503.tif 000048